(57)【要約】【課題】低抵抗で且つ拡散性に優れた旋回流を発生させることを可能とする。【解決手段】  排ガスが流れる排気管と、排気管内に設けられ排ガスに含まれる窒素酸化物を還元浄化する還元触媒と、還元触媒の上流側を流れる排ガスに還元剤を噴射供給する還元剤供給手段と、を備える排ガス浄化装置において、排気管内のうち還元触媒の上流側に配置され、排ガスに旋回流を発生させる旋回流発生装置であって、排気管内に、排気管の中心軸を含む面に関して対称（例えば、左右対称）に配置され、中心軸に対して直交する方向における排気管の断面積の少なくとも４０％を閉塞する形状のプレートからなる。【選択図】図１
2018115616.tif 000002
【特許請求の範囲】
【請求項１】
排ガスが流れる排気管と、前記排気管内に設けられ前記排ガスに含まれる窒素酸化物を還元浄化する還元触媒と、前記還元触媒の上流側を流れる前記排ガスに還元剤を噴射供給する還元剤供給手段と、を備える排ガス浄化装置において、前記排気管内における前記還元触媒より上流側に配置され、前記排ガスに旋回流を発生させる旋回流発生装置であって、
前記排気管内に、前記排気管の中心軸を含む面に関して対称に配置され、前記中心軸に対して直交する方向における前記排気管の断面積の少なくとも４０％を閉塞するプレートからなる
ことを特徴とする旋回流発生装置。
【請求項２】
前記プレートは、上流側端部が屈曲されてなり、一対の下流側端部に向けて広がったＶ字形状をなしてなることを特徴とする請求項１に記載の旋回流発生装置。
【請求項３】
前記プレートは、前記上流側端部から前記下流側端部に向けた左右一対の面の各々少なくとも上下いずれか一方の辺が、前記排気管の内壁に沿って湾曲してなる
ことを特徴とする請求項１または２に記載の旋回流発生装置。
【請求項４】
前記プレートは、前記排気管が曲げられた部位における当該排気管内の外径側または内径側の内壁面に沿って配置される
ことを特徴とする請求項１〜３のいずれか一項に記載の旋回流発生装置。
【請求項５】
前記排ガス浄化装置は、
一端部が前記排気管の上流側に嵌る筒状部と、
前記筒状部の他端部を塞ぐ閉塞部を有するキャップ形状をなし、前記排ガスを前記排気管の下流側に配置された前記還元触媒へ流すための開口を側方に向けて開設したキャップ部材と、を更に備え、
前記プレートは、前記キャップ部材の内側空間における前記開口の手前に配設される
ことを特徴とする請求項１〜４のいずれか一項に記載の旋回流発生装置。
【請求項６】
前記開口は、前記排ガスの流れ方向に扁平な形状であり、
前記プレートは、上流側端部が屈曲されてなり、前記開口の長手方向両端側に向かって広がった一対の下流側端部が配置される
ことを特徴とする請求項５に記載の排気ガス浄化装置。
【発明の詳細な説明】
【技術分野】
【０００１】
本発明は、排ガス浄化装置に用いられる旋回流発生装置に関する。
【背景技術】
【０００２】
排ガスと還元剤を混合させ、排ガスに含まれる窒素酸化物を還元触媒にて還元浄化する排ガス浄化装置（適宜、浄化装置と称す）が知られている。例えば、特許文献１に記載された浄化装置は、内燃機関から排出された排ガスが流れる排気管の内部に設けられる還元触媒と、この還元触媒より上流側に配置され、排ガスに旋回流を発生させるための旋回流発生装置と、を備えて構成されている。
【０００３】
図１４は、このような従来技術に係る排ガス浄化装置の一例を示し、（ａ）は模式図、（ｂ）は（ａ）で示した主要部Ｖの拡大斜視図である。図１４（ａ）に示すように、排ガス浄化装置５は、排気管１と、還元触媒２と、還元触媒２の上流側を流れる排ガスに還元剤（尿素水など）を噴射供給する還元剤供給手段としての還元剤噴射ノズル３と、排気管１内のうち還元触媒２の上流側（具体的には、還元剤噴射ノズル３によって還元剤が排ガスに噴霧される箇所（同図の「還元剤噴霧部」参照）の上流側）に設けられ排ガスに旋回流を発生させる旋回流発生装置４と、を備えている。
【０００４】
また、図１４（ｂ）に示すように、旋回流発生装置４はフィン構造体であり、直線状切り込みと１／４円弧状切り込みとを組み合わせてなる切り込みを複数（この場合、４つずつ）プレートに形成し、この切り込みを引き起こすように折り曲げることで支柱４ａと、扇状の羽根（扇状フィン４ｂ）とが形成され、これら４つの扇状フィン４ｂが円形となるように配置されてなる。
【０００５】
このような浄化装置５では、排ガスが旋回流発生装置４の扇状フィン４ｂを通過することで乱流または旋回流となり、排ガスに対する還元剤の拡散を促進させる（換言すれば、排ガスと還元剤との混合率を高める）ことができる。その結果、還元触媒２に対して還元剤を均一な状態で供給することが可能となり、排ガス浄化性能が一定以上に確保されることとなるので、排ガス中における窒素酸化物の還元効率の向上を図ることができる。
【先行技術文献】
【特許文献】
【０００６】
【特許文献１】特開２００６−２９２３３号公報
【発明の概要】
【発明が解決しようとする課題】
【０００７】
ところで、近年における排ガス規制の強化のため、還元剤の添加量が増大傾向にあり、還元剤の添加量を減少させるべく、より拡散性の優れた旋回流発生装置の開発が望まれている。そして、旋回流発生装置４の旋回能力を向上させることができれば、排ガスに対する還元剤の拡散を促進させることができ、還元触媒に対して還元剤をより均一な状態で供給することが可能となるため、排ガス浄化性能が向上することとなる。そのため、旋回流発生装置４の旋回力を向上させることが望ましい。
【０００８】
一方、排ガスが旋回流発生装置４を通過する際には、旋回流発生装置４によって大きな抵抗が生じることから、圧力損失も大きくなってしまうという問題があった。そこで、旋回流発生装置４によって生じる抵抗を低減させることができれば、旋回流発生装置４における圧力損失も低減させることが可能となる上、内燃機関の燃費を改善することもできる。そのため、旋回流発生装置４によって生じる抵抗を低減させることが望ましい。
【０００９】
しかしながら、旋回流発生装置４の旋回能力を向上させようとすれば、当該旋回流発生装置４に生じる抵抗が増大してしまう傾向にあり、逆に、旋回流発生装置４によって生じる抵抗を低減させようとすれば、当該旋回流発生装置４の旋回能力が低下してしまう傾向にある。
【００１０】
そこで、本発明者は、図１５（ａ）〜図１５（ｃ）に示すように、旋回流発生装置（不図示）によって、排気管１内の進行方向へ向けた左右対称に、互いに逆方向に回転しながら流れる双子状の渦流（旋回流Ａ，旋回流Ｂ）を発生させることができれば、噴射した還元剤の拡散性を向上させつつ、当該旋回流発生装置にて生じる抵抗を低減させることができると考えた。
【００１１】
本発明は、このような事情に鑑みてなされたものであり、その目的は、排気管に噴射された還元剤の拡散性を向上させつつ、排ガス流に対する抵抗を抑えることが可能な旋回流発生装置を提供することにある。
【課題を解決するための手段】
【００１２】
前述の目的を達成するため、本発明に係る旋回流発生装置は、
排ガスが流れる排気管と、前記排気管内に設けられ前記排ガスに含まれる窒素酸化物を還元浄化する還元触媒と、前記還元触媒の上流側を流れる前記排ガスに還元剤を噴射供給する還元剤供給手段と、を備える排ガス浄化装置において、前記排気管内における前記還元触媒より上流側に配置され、前記排ガスに旋回流を発生させる旋回流発生装置であって、
前記排気管内に、前記排気管の中心軸を含む面に関して対称に配置され、前記中心軸に対して直交する方向における前記排気管の断面積の少なくとも４０％を閉塞するプレートからなることを特徴とする。
【００１３】
これによれば、排気管内を流れる排ガスが、プレートによって上流側から下流側へと導かれながら、その過程で、プレートによってその両側（例えば、左右対称）に分かれ、排気管の内壁に沿って下流側へと流れるため、旋回流が発生する。このため、排気管内の進行方向へ向けた左右対称に、互いに逆方向に回転しながら流れる双子状の渦流（旋回流）を発生させることができ、排気管に噴射された還元剤の拡散性を向上させることができる。このとき、排ガスはプレートに沿って上流側から下流側へと導かれると共に、排気管の内壁に沿って下流側へと流れるため、旋回流発生装置において旋回流を発生させる際の抵抗を低減させることができる。かくして、低抵抗で且つ拡散性に優れた旋回流を発生させることができる。しかも、旋回流となった排ガスに対する還元剤の拡散を促進させることができるため、還元触媒に対して還元剤をより均一な状態で供給することが可能となり、排ガス浄化性能を向上させることができる。
【００１４】
このとき、前記プレートは、上流側端部が屈曲されてなり、一対の下流側端部に向けて広がったＶ字形状をなしてなることが好ましい。また、前記プレートは、前記上流側端部から前記下流側端部に向けた左右一対の面の各々少なくとも上下いずれか一方の辺が、前記排気管の内壁に沿って湾曲してなることが好ましい。さらに、前記プレートは、前記排気管が曲げられた部位における当該排気管内の外径側または内径側の内壁面に沿って配置されることが好ましい。
【００１５】
これらによれば、排ガスの流れを規制することで旋回流を発生させるための構成を簡素化することができる。
【００１６】
また、前記旋回流発生装置において、
前記排ガス浄化装置は、
一端部が前記排気管の上流側に嵌る筒状部と、
前記筒状部の他端部を塞ぐ閉塞部を有するキャップ形状をなし、前記排ガスを前記排気管の下流側に配置された前記還元触媒へ流すための開口を側方に向けて開設したキャップ部材と、を更に備え、
前記プレートは、前記キャップ部材の内側空間における前記開口の手前に配設される
こととしてもよい。
【００１７】
これによれば、プレートをキャップ部材における開口の手前に配置することで、当該プレートを境にして開口側と反対側とで圧力差を生じさせ、この圧力差を利用して開口付近における排ガスに旋回流を生じさせることができる。従って、旋回流を発生させるための構成を簡素化することができる。
【００１８】
このとき、前記開口は、前記排ガスの流れ方向に扁平な形状であり、
前記プレートは、上流側端部が屈曲されてなり、前記開口の長手方向両端側に向かって広がった一対の下流側端部が配置されることが好ましい。
【００１９】
これによれば、扁平形状とされた開口に向かう排ガスの流れ方向を、プレートによって規制することができるので、旋回流を生じさせ易くすることができる。
【発明の効果】
【００２０】
本発明によれば、低抵抗で且つ拡散性に優れた旋回流を発生させることができる。
【図面の簡単な説明】
【００２１】
【図１】第一実施形態に係る旋回流発生装置を有する排ガス浄化装置を示し、（ａ）はその主要部を概略的に示す斜視図、（ｂ）は主要部を上流側から見て示す断面図である。
【図２】図１の旋回流発生装置を有する排ガス浄化装置を示し、（ａ）は平面図、（ｂ）は側面図である。
【図３】第一実施形態の旋回流発生装置を示し、（ａ）は側面から見た流れ解析結果（流速）、（ｂ）は断面の下流側から見た流れ解析結果（流速）を示す図である。
【図４】第二実施形態に係る旋回流発生装置を有する排ガス浄化装置を示し、（ａ）は排気管の屈曲した部位の外径側に配置される際の下流側から見て示す斜視図、（ｂ）はその下流側から見て示す平面図、（ｃ）はその外径側から見て示す部分的透視図、（ｄ）は側面図である。
【図５】図４の排ガス浄化装置における主要部を排気管の内径側から見て示す斜視図である。
【図６】第三実施形態に係る旋回流発生装置を有する排ガス浄化装置を示し、（ａ）は排気管の屈曲した部位の内径側に配置される際の下流側から見て示す斜視図、（ｂ）はその下流側から見て示す平面図、（ｃ）はその外径側から見て示す部分的透視図、（ｄ）は側面図である。
【図７】図６の排ガス浄化装置における主要部を排気管の内径側から見て示す斜視図である。
【図８】第二実施形態の旋回流発生装置（ａ）および第三実施形態の旋回流発生装置（ｂ）について、それぞれの流れ解析結果（流速）を示す図である。
【図９】第四実施形態における排気ガス浄化装置の全体構成を示す断面図である。
【図１０】図９の排気ガス浄化装置に用いられた旋回流発生装置を示す斜視図である。
【図１１】キャップ部材を開口側から見た状態を示す図である。
【図１２】図９のＸ部分を示す拡大図である。
【図１３】キャップ部材の内側空間を示す図である。
【図１４】従来技術の説明に供し、（ａ）は排ガス浄化装置の一例を示す概略図、（ｂ）は旋回流発生装置の一例を概略的に示す斜視図である。
【図１５】双子状の渦流の説明に供し、（ａ）は排ガス浄化装置の下流側から見て示す概念図、（ｂ）は（ａ）のａ−ａ矢視図、（ｃ）は（ｂ）のｂ−ｂ矢視図である。
【発明を実施するための形態】
【００２２】
以下、図面を参照しながら本発明に係る旋回流発生装置の実施形態について説明する。但し、以下に述べる実施形態には、本発明を実施するために技術的に好ましい種々の限定が付されているが、本発明の範囲を以下の実施形態および図示例に限定するものではない。
【００２３】
＜第一実施形態＞
＜排ガス浄化装置について＞
まず、本実施形態の旋回流発生装置が用いられる排ガス浄化装置について説明する。
図１（ａ）に示すように、本実施形態の旋回流発生装置１０は、従来から知られている排ガス浄化装置５（例えば、図１４（ａ）参照）等に用いられ、エンジン（不図示）からの排ガスを排出するための排気管１内に組み込まれている。この浄化装置５は、排ガスに含まれる窒素酸化物を還元浄化する還元触媒２（図１４（ａ）参照）と、この還元触媒２の上流側を流れる排ガスに還元剤（例えば、アンモニア）を噴射供給する還元剤供給手段としての還元剤噴射ノズル３と、を備えている。そして、この還元剤噴射ノズル３より上流側に、従来の旋回流発生装置４に替えて本実施形態の旋回流発生装置１０が配設されることで、排ガスに旋回流を発生させるようになっている。すなわち、排ガス浄化装置５としては、旋回流発生装置１０が異なる点を除いて、従来から知られている一般的な排ガス浄化装置５とほぼ同様に構成されている。
【００２４】
＜旋回流発生装置について＞
次に、本実施形態の旋回流発生装置１０について説明する。
具体的に、旋回流発生装置１０は、図１（ａ），（ｂ）および図２（ａ），（ｂ）に示すように、排気管１の内部に、その中心軸を含む面に関して対称に配置され、中心軸に対して直交する方向（つまり、径方向）における排気管１の断面積の少なくとも４０％を閉塞するプレートからなる。
【００２５】
旋回流発生装置１０は、上流側端部１０ａが屈曲されてなり、一対の下流側端部１０ｂ，１０ｃに向けて広がったＶ字形状に形成されている。また、旋回流発生装置１０は、上流側端部１０ａから下流側端部１０ｂ，１０ｃに向けた左右一対の面の各々少なくとも上下いずれか一方の辺（本実施形態の場合、上辺１０ｄ，１０ｅ）が、排気管１の内壁に沿って湾曲して形成されている。このように構築された旋回流発生装置１０では、その外縁に位置する湾曲した上辺１０ｄ，１０ｅが、排気管１の内壁面と接触するように構成されている。つまり、旋回流発生装置１０は、上辺１０ｄ，１０ｅによって排気管１内の流路における上方側を閉塞するように配置されている。
【００２６】
かかる構成の旋回流発生装置１０では、排気管１内を流れる排ガスが上流側端部１０ａにより左右に分かれて導かれ（図２（ａ），（ｂ）の矢印Ｘ，Ｙ参照）、下流側端部１０ｂ，１０ｃ側へと流れていく過程で、上辺１０ｄ，１０ｅによって排気管１内における上方の流路が閉塞されている（排ガスの流れが規制されている）ため、上方から下方へと導かれる（図２（ｂ）の矢印Ｚ参照）。
【００２７】
このように、上流側端部１０ａによってその両側へと分かれて流れた排ガスが、上辺１０ｄ，１０ｅと排気管１の内壁とで囲まれた排ガスの流れを規制する領域Ｋを介して下方へと導かれることで、旋回流発生装置１０の上流側と下流側との圧力差による渦流が発生する。ここで、旋回流発生装置１０が左右対称なＶ字形状であることから、排気管１の内壁に沿った互いに逆回りの双子状の旋回流（図１５（ａ）に示すような下流側から上流側を見て左側の時計回りの旋回流Ａと，右側の反時計回りの旋回流Ｂ）となる。
【００２８】
そして、これら双子状の旋回流が、旋回を続けつつ下流側へと導かれることにより、下流側へ向けた広い範囲に亘って旋回を持続させることが可能となる。つまり、旋回流発生装置１０では、排ガス浄化装置５において噴霧される還元剤を拡散（攪拌）させる拡散性に優れた旋回流を発生させ、且つ、その持続性の向上を図ることが可能となっている。
【００２９】
また、旋回流発生装置１０は、上端側端部１０ａが屈曲されてなり、排気管１内の排ガスの流れに沿って配置されていると共に、一対の下流側端部１０ｂ，１０ｃへと延在し外縁に位置する各上辺１０ｄ，１０ｅが排気管１の内壁面と接触するように構成されているので、排ガスの流れに対する抵抗を抑えつつ、上流側端部１０ａによって左右に分かれた排ガスが、上辺１０ｄ，１０ｅと排気管１の内壁とで囲まれた領域Ｋを介して双子状の旋回流となり、排気管１の内壁に沿ってスムーズに流れることとなる。よって、排ガス浄化装置５にて生じる抵抗が小さくなる。
【００３０】
なお、本実施形態において、旋回流発生装置１０は、還元剤噴霧部（図１４（ａ）参照）の上流側に設けられている場合について述べたが、本発明はこれに限ることはなく、旋回流発生装置１０の配置位置としては、還元触媒２（図１４（ａ）参照）よりも上流側であれば、還元剤噴霧部の下流側に設けられていてもよい。
【００３１】
また、本実施形態では、旋回流発生装置１０が排気管１の内部に、その中心軸に関して左右対称となるように配置される場合について述べたが、本発明はこれに限らず、要は排気管１の中心軸を含む面に関して対称に配置されるものであれば、上下や斜め等に対称であってもよい。
【００３２】
以上、説明したような旋回流発生装置１０によれば、排気管１内を流れる排ガスが、旋回流発生装置１０の上流側端部１０ａによってその両側（左右）に分かれて下流側へと導かれ、その下流側端部１０ｂ，１０ｃ側へと流れていく過程で、上辺１０ｄ，１０ｅと排気管１の内壁とで囲まれた排ガスの流れを規制する領域Ｋを介して下方へと導かれながら、排気管１の内壁に沿った互いに逆回りの双子状の渦流（旋回流）として下流側へと流れるため、図３（ａ）および（ｂ）にその流速を示した流れ解析結果のように、排ガス浄化装置５において噴霧される還元剤を、排気管１内の広範囲に亘って拡散（攪拌）させる拡散性に優れた左右対称の旋回流を発生させることができる。
【００３３】
しかも、旋回流発生装置１０を構成するプレートは、外縁に位置する上辺１０ｄ，１０ｅが排気管１の内壁面と接触するように構成されると共に、上端側端部１０ａが排気管１内の排ガスの流れに沿って配置されているので、排ガスの流れに対する抵抗を抑えることができ、双子状の旋回流をプレートに沿ってスムーズに流し、排ガス浄化装置５にて生じる抵抗を低減させることができる。かくして、本実施形態の旋回流発生装置１０によれば、低抵抗で且つ拡散性に優れた旋回流を発生させることができる。
【００３４】
また、排ガス浄化装置５において噴霧される還元剤の拡散性、すなわち、旋回流となった排ガスに対する還元剤の拡散を促進させることができるため、還元触媒２（図１４（ａ）参照）に対して還元剤をより均一な状態で供給することが可能となり、排ガス浄化性能を向上させることができる。
【００３５】
さらに、排ガスの流れを規制することで旋回流を発生させる構造を、Ｖ字形状のプレートによって構成することができるので、旋回流を発生させるための構成を簡素化することができる。
【００３６】
＜第二実施形態＞
次に、本発明の第二実施形態について説明する。本発明に係る第二実施形態の旋回流発生装置２０は、従来から知られている排ガス浄化装置５（例えば、図１４（ａ）参照）等に用いられる。なお、排ガス浄化装置５において、排気管１のエルボ形状に曲げられた箇所に、還元剤噴霧部（還元剤供給手段としての還元剤噴射ノズル３等）を取り付ける連通部６が配設される点と、旋回流発生装置２０の構造が異なる点とを除き、前述した第一実施形態と同様であるため、排ガス浄化装置５に関する詳細な説明については省略する。
【００３７】
本実施形態において、排気管１のエルボ部の外側（図４（ｄ）の右下側）には、排気管１内に還元剤を噴射するための開口部１ａが形成されており、連通部６はその内部が開口部１ａと連通するように排気管１に設けられている。図４（ａ）〜（ｄ）および図５に示すように、旋回流発生装置２０は、開口部１ａを囲むように、排気管１の中心軸を含む面に関して対称に配置され、その中心軸に対して直交する方向（つまり、径方向）における排気管１の断面積の少なくとも４０％を閉塞するプレートからなる。
【００３８】
具体的に、旋回流発生装置２０は、上流側端部２０ａを頂部として屈曲されており、一対の下流側端部２０ｂ，２０ｃに向けてＶ字形状に広がって形成されている。また、旋回流発生装置２０において、上流側端部２０ａから下流側端部２０ｂ，２０ｃに向けた左右一対の面２１，２２は、各々排気管１の内壁面と接触する外径側辺２１ａ，２２ａが、排気管１の内壁に沿った湾曲部をなし、これに対向する内径側辺２１ｂ，２１ｂはほぼ直線状をなしており、全体として略半月状に形成されている。
【００３９】
そして、旋回流発生装置２０は、一対の面２１，２２が排気管１の内部に、その中心軸を含む面に関して対称となるように、それぞれ外径側辺２１ａ，２２ａを排気管１の内壁面と接触するように配置されることで、これら面２１，２２によって開口部１ａの周囲を囲むと共に、排気管１の曲げ部分内における流路の外径側を閉塞する。
【００４０】
かかる構成の旋回流発生装置２０では、排気管１内の外径側を流れる排ガスが上流側端部２０ａを起点に左右に分かれて導かれ（図４（ｃ），図５の矢印Ｘ，Ｙ参照）、下流側端部２０ｂ，２０ｃ側へと流れていく過程で、外径側辺２１ａ，２２ａが排気管１の内壁と接触して配置される面２１，２２によって排気管１内における外径側の流路が閉塞されている（排ガスの流れが規制されている）ため、外径側から内径側へと導かれる（図４（ｄ）の矢印Ｚ参照）。
【００４１】
このように、上流側端部２０ａによってその両側へと分かれて流れた排ガスが、面２１，２２と排気管１の内壁とで囲まれた排ガスの流れを規制する領域Ｋを介して内径側へと導かれることで、旋回流発生装置２０の上流側と下流側との圧力差による渦流が発生する。ここで、旋回流発生装置２０が左右対称なＶ字形状であることから、排気管１の内壁に沿った互いに逆回りの双子状の旋回流となり、旋回を続けつつ下流側へと流れる。なお、この場合、前述の第一実施形態における図１５（ａ）に示す旋回流Ａ，Ｂとは真逆の配置となる下流側から上流側を見て左側に反時計回りの旋回流Ｂが発生し、右側に時計回りの旋回流Ａが発生する。
【００４２】
そして、これら双子状の旋回流が、旋回を続けつつ下流側へと導かれることにより、下流側へ向けた広い範囲に亘って旋回を持続させることが可能となる。つまり、旋回流発生装置２０では、排ガス浄化装置５において排気管１の開口部１ａを介して噴霧される還元剤を拡散（攪拌）させる拡散性に優れた旋回流を発生させ、且つ、その持続性の向上を図ることが可能となっている。
【００４３】
また、旋回流発生装置２０は、上端側端部２０ａが屈曲されてなり、排気管１内の排ガスの流れに沿って配置されていると共に、一対の下流側端部２０ｂ，２０ｃへと延在する面２１，２２の外径側に位置する各外径側辺２１ａ，２２ａが排気管１の内壁面と接触するように構成されているので、排ガスの流れに対する抵抗を抑えつつ、上流側端部２０ａによって左右に分かれた排ガスが、面２１，２２と排気管１の内壁とで囲まれた領域Ｋを介して双子状の旋回流となり、排気管１の内壁に沿ってスムーズに流れることとなる。よって、排ガス浄化装置５にて生じる抵抗が小さくなる。
【００４４】
なお、本実施形態において、旋回流発生装置２０は、還元剤噴霧部（図１４（ａ）参照）の上流側に設けられている場合について述べたが、本発明はこれに限ることはなく、旋回流発生装置２０の配置位置としては、還元触媒２（図１４（ａ）参照）よりも上流側であれば、還元剤噴霧部の下流側に設けられていてもよい。
【００４５】
また、本実施形態では、旋回流発生装置２０が排気管１の内部に、その中心軸に関して左右対称となるように配置される場合について述べたが、本発明はこれに限らず、要は排気管１の中心軸を含む面に関して対称に配置されるものであれば、上下や斜め等に対称であってもよい。
【００４６】
以上、説明したような旋回流発生装置２０によれば、排気管１内の外径側を流れる排ガスが、旋回流発生装置２０の上流側端部２０ａによってその両側（左右）に分かれて下流側へと導かれ、その下流側端部２０ｂ，２０ｃ側へと流れていく過程で、面２１，２２と排気管１の内壁とで囲まれた排ガスの流れを規制する領域Ｋを介して内径側へと導かれながら、排気管１の内壁に沿った互いに逆回りの双子状の渦流（旋回流）として下流側へと流れるため、図８（ａ）にその流速を示した流れ解析結果のように、排ガス浄化装置５において噴霧される還元剤を、排気管１内の広範囲に亘って拡散（攪拌）させる拡散性に優れた左右対称の旋回流を発生させることができる。
【００４７】
しかも、旋回流発生装置２０を構成するプレートは、外縁に位置する外径側辺２１ａ，２２ａが排気管１の内壁面と接触するように湾曲して構成されると共に、上端側端部２０ａが排気管１内の排ガスの流れに沿って配置されているので、排ガスの流れに対する抵抗を抑えることができ、双子状の旋回流を面２１，２２に沿ってスムーズに流し、排ガス浄化装置５にて生じる抵抗を低減させることができる。かくして、本実施形態の旋回流発生装置２０によれば、低抵抗で且つ拡散性に優れた旋回流を発生させることができる。
【００４８】
また、排ガス浄化装置５において噴霧される還元剤の拡散性、すなわち、旋回流となった排ガスに対する還元剤の拡散を促進させることができるため、還元触媒２（図１４（ａ）参照）に対して還元剤をより均一な状態で供給することが可能となり、排ガス浄化性能を向上させることができる。
【００４９】
さらに、排ガスの流れを規制することで旋回流を発生させる構造を、Ｖ字形状のプレートによって構成することができるので、旋回流を発生させるための構成を簡素化することができる。
【００５０】
＜第三実施形態＞
次に、本発明の第三実施形態について説明する。本発明に係る第三実施形態の旋回流発生装置３０は、従来から知られている排ガス浄化装置５（例えば、図１４（ａ）参照）等に用いられる。なお、排ガス浄化装置５において、旋回流発生装置３０の構造が異なる点とを除き、前述した第二実施形態と同様であるため、排ガス浄化装置５に関する詳細な説明については省略する。
【００５１】
旋回流発生装置３０は、図４（ａ）〜（ｄ）および図５との対応部分に同一符号を付した図６（ａ）〜（ｄ）および図７に示すように、排気管１における曲げ部分の内径側において、開口部１ａを囲むように、排気管１の中心軸を含む面に関して対称に配置され、その中心軸に対して直交する方向（つまり、径方向）における排気管１の断面積の少なくとも４０％を閉塞するプレートからなる。
【００５２】
具体的に、旋回流発生装置３０は、上流側端部３０ａを頂部として屈曲されており、一対の下流側端部３０ｂ，３０ｃに向けてＶ字形状に広がって形成されている。また、旋回流発生装置３０において、上流側端部３０ａから下流側端部３０ｂ，３０ｃに向けた左右一対の面３１，３２は、各々排気管１の内壁面と接触する内径側辺３１ａ，３２ａが、排気管１の内壁に沿った湾曲部をなし、これに対向する外径側辺３１ｂ，３１ｂがほぼ直線状をなしていると共に、これら外径側辺３１ｂ，３１ｂと上流側端部３０ａとを結ぶ連通部３１ｃ，３２ｃが排気管１の内壁に沿った湾曲部をなしている。
【００５３】
そして、旋回流発生装置３０は、一対の面３１，３２が排気管１の内部に、その中心軸を含む面に関して対称となるように、それぞれ内径側辺３１ａ，３２ａと、連通部３１ｃ，３２ｃとを排気管１の内壁面と接触するように配置されることで、これら面３１，３２によって開口部１ａの周囲を囲むと共に、排気管１の曲げ部分内における流路の内径側を閉塞する。
【００５４】
かかる構成の旋回流発生装置３０では、排気管１内を流れる排ガスが上流側端部３０ａを起点に左右に分かれて導かれ（図６（ｃ），図７の矢印Ｘ，Ｙ参照）、下流側端部３０ｂ，３０ｃ側へと流れていく過程で、内径側辺３１ａ，３２ａと連通部３１ｃ，３２ｃとが排気管１の内壁と接触して配置される面３１，３２によって排気管１内における流路が狭められている（排ガスの流れが規制されている）ため、内径側から外径側へと導かれる（図６（ｄ）の矢印Ｚ参照）。
【００５５】
このように、上流側端部３０ａによってその両側へと分かれて流れた排ガスが、面３１，３２と排気管１の内壁とで囲まれた排ガスの流れを規制する領域Ｋを介して外径側へと導かれることで、旋回流発生装置３０の上流側と下流側との圧力差による渦流が発生する。ここで、旋回流発生装置３０が左右対称なＶ字形状であることから、排気管１の内壁に沿った互いに逆回りの双子状の旋回流（図１５（ａ）に示すような下流側から上流側を見て左側の時計回りの旋回流Ａと，右側の反時計回りの旋回流Ｂ）となる。
【００５６】
そして、これら双子状の旋回流が、旋回を続けつつ下流側へと導かれることにより、下流側へ向けた広い範囲に亘って旋回を持続させることが可能となる。つまり、旋回流発生装置３０では、排ガス浄化装置５において排気管１の開口部１ａを介して噴霧される還元剤を拡散（攪拌）させる拡散性に優れた旋回流を発生させ、且つ、その持続性の向上を図ることが可能となっている。
【００５７】
また、旋回流発生装置３０は、上端側端部３０ａが屈曲されてなり、排気管１内の排ガスの流れに沿って配置されていると共に、一対の下流側端部３０ｂ，３０ｃへと延在する面３１，３２の内径側に位置する各内径側辺３１ａ，３２ａが排気管１の内壁面と接触するように構成されているので、排ガスの流れに対する抵抗をを抑えつつ、上流側端部３０ａによって左右に分かれた排ガスが、面３１，３２と排気管１の内壁とで囲まれた領域Ｋを介して双子状の旋回流となり、排気管１の内壁に沿ってスムーズに流れることとなる。よって、排ガス浄化装置５にて生じる抵抗が小さくなる。
【００５８】
なお、本実施形態において、旋回流発生装置３０は、還元剤噴霧部（図１４（ａ）参照）の上流側に設けられている場合について述べたが、本発明はこれに限ることはなく、旋回流発生装置３０の配置位置としては、還元触媒２（図１４（ａ）参照）よりも上流側であれば、還元剤噴霧部の下流側に設けられていてもよい。
【００５９】
また、本実施形態では、旋回流発生装置３０が排気管１の内部に、その中心軸に関して左右対称となるように配置される場合について述べたが、本発明はこれに限らず、要は排気管１の中心軸を含む面に関して対称に配置されるものであれば、上下や斜め等に対称であってもよい。
【００６０】
以上、説明したような旋回流発生装置３０によれば、排気管１内を流れる排ガスが、旋回流発生装置３０の上流側端部３０ａによってその両側（左右）に分かれて下流側へと導かれ、その下流側端部３０ｂ，３０ｃ側へと流れていく過程で、面３１，３２と排気管１の内壁とで囲まれた排ガスの流れを規制する領域Ｋを介して外径側へと導かれながら、排気管１の内壁に沿った互いに逆回りの双子状の渦流（旋回流）として下流側へと流れるため、図８（ｂ）にその流速を示した流れ解析結果のように、排ガス浄化装置５において噴霧される還元剤を、排気管１内の広範囲に亘って拡散（攪拌）させる拡散性に優れた左右対称の旋回流を発生させることができる。
【００６１】
しかも、旋回流発生装置３０を構成するプレートは、外縁に位置する内径側辺３１ａ，３２ａが排気管１の内壁面と接触するように湾曲して構成されると共に、上端側端部３０ａが排気管１内の排ガスの流れに沿って配置されているので、排ガスの流れに対する抵抗を抑えることができ、双子状の旋回流を面３１，３２に沿ってスムーズに流し、排ガス浄化装置５にて生じる抵抗を低減させることができる。かくして、本実施形態の旋回流発生装置３０によれば、低抵抗で且つ拡散性に優れた旋回流を発生させることができる。
【００６２】
また、排ガス浄化装置５において噴霧される還元剤の拡散性、すなわち、旋回流となった排ガスに対する還元剤の拡散を促進させることができるため、還元触媒２（図１４（ａ）参照）に対して還元剤をより均一な状態で供給することが可能となり、排ガス浄化性能を向上させることができる。
【００６３】
さらに、排ガスの流れを規制することで旋回流を発生させる構造を、Ｖ字形状のプレートによって構成することができるので、旋回流を発生させるための構成を簡素化することができる。
【００６４】
＜第四実施形態＞
次に、本発明の第四実施形態について説明する。まず、排ガス浄化装置の全体構成について説明する。図９に示すように、排ガス浄化装置１００は、エンジン（図示せず）からの排ガスを排出するための排気通路に組み込まれている。この排ガス浄化装置１００は、酸化触媒１０１と、上流側ケーシング１０２と、上流側キャップ部材１０３と、上流側接続部材１０４と、連通管１０５と、下流側接続部材１０６と、下流側キャップ部材１０７と、還元触媒１０８と、下流側ケーシング１０９とを有している。
【００６５】
酸化触媒１０１は、排ガスに含まれる窒素化合物を酸化するものであり、例えば、ガスの流れ方向に沿って無数のガス流路が形成された円柱状の担持基材と、このガス流路の表面にコーティングされたＰｔ−Ａｌ2Ｏ3系触媒層とを有している。
【００６６】
上流側ケーシング１０２は、酸化触媒１０１を収容する筒状部材であり、本実施形態では排ガスの流れ方向に並べられた２つの酸化触媒１０１を収容する円形のステンレス管で構成されている。上流側ケーシング１０２における図中下側の端部は、エンジンからの排ガスが流入する流入部１０２ａ（上流側端部）である。この流入部１０２ａは、エンジンからの排気管１１０と酸化触媒１０１を収容する本体部分１０２ｂとを接続する部分であり、酸化触媒１０１側に向けて次第に直径が拡大する漏斗形状に作製されている。一方、図中上側の端部は酸化触媒１０１を通った排ガスが排出される排出部１０２ｃ（下流側端部）である。この排出部１０２ｃは、酸化触媒１０１の周囲を囲む円形状になっている。
【００６７】
上流側キャップ部材１０３および上流側接続部材１０４は、酸化触媒１０１で処理された排ガスを連通管１０５に導くための流路部材である。これらの部材１０３，１０４および、上流側キャップ部材１０３に取り付けられた旋回流発生装置としての圧力調整プレート１１１によって、排ガスを旋回流にして連通管１０５に導いている。また、上流側接続部材１０４には還元剤（例えば尿素水）を供給するための還元剤供給口１１２が設けられている。なお、上流側キャップ部材１０３、上流側接続部材１０４および、圧力調整プレート１１１の詳細については後述する。
【００６８】
連通管１０５は、酸化触媒１０１の排気下流側と還元触媒１０８の排気上流側の間に配設され、酸化触媒１０１で処理された排ガスを還元剤とともに還元触媒１０８側へ流すための流路部材である。本実施形態における連通管１０５は、上流側ケーシング１０２や下流側ケーシング１０９よりも細い直径のステンレス製円管で作製されている。この連通管１０５の軸線方向は、上流側ケーシング１０２を流れる排ガスの流れ方向に揃えられている。すなわち、この連通管１０５と、上流側キャップ部材１０３および上流側接続部材１０４とにより、酸化触媒１０１で処理された排ガスは、上流側ケーシング１０２の流入部１０２ａに向けて折り返される。
【００６９】
下流側接続部材１０６および下流側キャップ部材１０７は、連通管１０５を通過した還元剤と排ガス（酸化触媒２で処理された排ガス）の混合ガスを還元触媒１０８に導入するための部材である。
【００７０】
下流側接続部材１０６は、還元剤供給口１１２が設けられていない点で相違しているが、他の構成は上流側接続部材１０４と同じである。下流側キャップ部材１０７は、圧力調整プレート１１１が設けられていない点で相違しているが、他の構成は上流側キャップ部材１０３と同じである。このため、上流側キャップ部材１０３、および、上流側接続部材１０４の説明をもってこれらの部材の説明に代えることとする。
【００７１】
還元触媒１０８は、混合ガスに含まれる窒素酸化物を還元して浄化するものであり、例えば、ガスの流れ方向に沿って無数のガス流路が形成された円柱状の担持基材と、このガス流路の表面にコーティングされたＣｅ−Ｔｉ−ＳＯ4−Ｚｒ系触媒層とを有している。
【００７２】
下流側ケーシング１０９は、還元触媒１０８を収容する筒状部材であり、本実施形態では排ガスの流れ方向に並べられた２つの還元触媒１０８を収容する円形のステンレス管で構成されている。そして、下流側ケーシング１０９における図中下側の端部は、混合ガスが導入される導入部１０９ａ（上流側端部）であり、下流側キャップ部材１０７が被せられる。また、下流側ケーシング１０９における図中上側の端部は、処理後の排気ガスを放出する放出部１０９ｂ（下流側端部）である。この放出部１０９ｂは、下流側（還元触媒１０８から遠い側）に向けて次第に直径が縮小する漏斗形状に作製されている。
【００７３】
次に、上流側キャップ部材１０３について説明する。上流側キャップ部材１０３は、上流側ケーシング１０２と上流側接続部材１０４との間に介在し、酸化触媒１０１で処理された排ガスの流れ方向をほぼ直角に曲げて上流側接続部材１０４へと流す。図１０〜図１２に示すように、この上流側キャップ部材１０３は、筒状部１２１と、天井部１２２と、開口筒部１２３とを有している。
【００７４】
筒状部１２１は、上流側ケーシング１０２の端部が嵌る部分であり、開放端の内径が上流側ケーシング１０２における排出部１０２ｃの外径に揃えられた短尺の円筒状部材で作製されている。天井部１２２は、筒状部１２１における開放端とは反対側の端部を塞ぐ円盤状部材であり、閉塞部に相当する。図１１に示すように、この天井部１２２は、開口筒部１２３に近い側から遠くなるほど内部空間が浅くなるように斜めに取り付けられている。これにより、天井部１２２の内表面はスロープ形状に形成されている。そして、筒状部１２１と天井部１２２とによって底の浅いキャップ形状の部材が構成される。
【００７５】
開口筒部１２３は、筒状部１２１や天井部１２２と一体に設けられる部分であり、上流側接続部材１０４と接続されて排ガスを案内する。この開口筒部１２３は、端部の開口１２３ａが、上流側ケーシング１０２の軸線方向（酸化触媒１０１を流れる排ガスの方向）と交差する側方に向くように設けられている。図１０に示すように、この開口１２３ａは、上流側ケーシング１０２（図９，１１参照）の軸線方向に扁平な形状とされる。具体的には、長方形の短辺を外側に凸の半円（湾曲）形状に置き換えた長円形状とされる。
【００７６】
次に、本発明に係る第四実施形態の旋回流発生装置である圧力調整プレート１１１について説明する。図９〜図１２に示すように、上流側キャップ部材１０３の内側空間には、旋回流発生装置としての圧力調整プレート１１１が取り付けられている。この圧力調整プレート１１１は、開口１２３ａの手前に配設されており、内側空間に圧力差を生じさせるための板状部材である。本実施形態の場合、圧力調整プレート１１１は、ステンレス製の板材を用いて形成されている。
【００７７】
図１３に示すように、圧力調整プレート１１１は、それぞれ一対の屈曲部分１１１ａと、短尺部分１１１ｂと、長尺部分１１１ｃとを有しており、中央部１１１ｄを中心とした左右対称の略Ｗ字状に屈曲されてなる（図１２参照）。下縁部分１１１ｅは、上流側キャップ部材１０３の装着状態において、酸化触媒１０１の端面に対向するので（図１１参照）、直線状に形成されている。また、上縁部分１１１ｆは、天井部１２２や開口筒部１２３の内面に当接することに伴い（図１１参照）、屈曲部分１１１ａを頂部とした山形状に湾曲して形成されている（図１０参照）。具体的に、屈曲部分１１１ａについては短尺部分１１１ｂや長尺部分１１１ｃよりも高さが高くなっており、短尺部分１１１ｂおよび長尺部分１１１ｃについては、天井部１２２のスロープ形状にあわせ、屈曲部分１１１ａから離れるほどに高さが低くなっている。
【００７８】
このような形状を有する圧力調整プレート１１１は、図１２に示すように、長円開口１２３ａの長手方向端部から中心側に向かう程に、この長円開口１２３ａからの距離が遠くなるように配設されている。この圧力調整プレート１１１によって、上流側キャップ部材１０３の内部空間が、長円開口１２３ａに近い側の第１部分１０３Ａと、長円開口１２３ａから遠い側の第２部分１０３Ｂとに区画されている。
【００７９】
このように、圧力調整プレート１１１が介在することで、第１部分１０３Ａにおける排ガスの圧力が、第２部分１０３Ｂにおける排ガスの圧力よりも低くなるように、圧力差が付与される。また、第２部分１０３Ｂの排ガスの一部については、上流側ケーシング１０２の軸線方向における高さの高い屈曲部分１１１ａから長尺部分１１１ｃを通り、これら長尺部分１１１ｃ同士の頂部であり、その高さの低い中央部１１１ｄを回り込む経路で第１部分１０３Ａへと流入される。
【００８０】
そして、第１部分１０３Ａと第２部分１０３Ｂに圧力差を与えることで、上流側接続部材１０４に流入する排ガスを旋回流にすることができる。また、第２部分１０３Ｂから第１部分１０３Ａへ流れる排ガスの経路を規制することで、排ガスを効率よく旋回流にすることができる。なお、これらの点については後述する。
【００８１】
次に、上流側接続部材１０４について説明する。図９に示すように、上流側接続部材１０４は、上流側キャップ部材１０３の長円開口１２３ａと連通管１０５の上流側端部とを接続する部材である。このため、上流側接続部材１０４における上流側キャップ部材１０３との接続部分（キャップ接続部分１３１）は、長円状の扁平流路を内部に有する長円筒状に形成されている。一方、上流側接続部材１０４における連通管１０５との接続部分（管接続部分１３２）は、連通管１０５と同様に円筒状に形成されている。
【００８２】
キャップ接続部分１３１と管接続部分１３２との間には、排ガスの流路を連通管１０５の上流端に向けて曲げるための屈曲部分１３３が設けられている。この屈曲部分１３３の内部には、連通管１０５に近付く程に流路幅が狭められた狭窄流路が形成されている。この狭窄流路の断面形状は、上流側から下流側に向かうにつれて長円形状から円形状に変化する。この場合、狭窄流路の下流側端部はテーパー面になるため、狭窄流路を流れる排ガスは、このテーパー面に沿って流れることで旋回流が生じ易くなる。
【００８３】
また、図９および図１１に示すように、屈曲部分１３３には還元剤供給口１１２が設けられている。この還元剤供給口１１２は、酸化触媒１０１で処理された後の排ガスへ還元剤を供給するためのものであり、連通管１０５の排気上流端を臨む位置に設けられている。例えば、図１１に仮想線で示す供給ノズル１３４を還元剤供給口１１２に挿入し、上流側接続部材１０４を流れる排ガスに対し、この供給ノズル１３４を通じて還元剤を供給する。供給された還元剤は、排ガスと混ざりつつ連通管１０５を流れる。
【００８４】
以上の構成を有する排ガス浄化装置１００では、エンジンからの排ガスが流入部１０２ａから流入する。そして、排ガスに含まれる一酸化窒素が酸化触媒１０１によって酸化されて二酸化窒素になる。酸化触媒１０１で処理された排ガスは、上流側キャップ部材１０３および上流側接続部材１０４を通って連通管１０５に導入される。その際、排ガスは旋回流となり、上流側接続部材１０４の還元剤供給口１１２を通じて供給された還元剤と混合される。連通管１０５を通過した混合ガスは、下流側接続部材１０６および下流側キャップ部材１０７を通じて還元触媒１０８に導入される。還元触媒１０８は、混合ガスに含まれる二酸化窒素を窒素に還元する。還元触媒１０８で処理された混合ガスは、放出部１０９ｂを通じて大気に放出される。
【００８５】
そして、この排ガス浄化装置１００では、上流側キャップ部材１０３の内部空間に圧力調整プレート１１１を配設しているので、排ガスを旋回流にして連通管１０５に導入させることができる。また、上流側接続部材１０４の内部空間を、連通管１０５に近付く程に流路幅を狭くするように構成しているので、この点でも排気ガスを旋回させ易くできる。以下、これらの点について説明する。
【００８６】
酸化触媒１０１を通過した排ガスは、上流側キャップ部材１０３の内部空間を長円開口１２３ａに向けて流れる。また、排ガスは、圧力調整プレート１１１によって流れ方向を規制され、長円開口１２３ａに対して斜め方向から多くの量が流入する。このとき、排ガスが通る流路の断面積が次第に狭くなっていくことから、酸化触媒１０１から長円開口１２３ａまでの第１範囲と、上流側接続部材１０４に対応する第２範囲と、連通管１０５に対応する第３範囲に分けた場合、第１範囲の流速が最も遅く、第２範囲で加速され、第３範囲でさらに加速される。
【００８７】
また、圧力調整プレート１１１を境に、長円開口側の第１部分１０３Ａと反対側の第２部分１０３Ｂとで大きな圧力差が生じる。このような大きな圧力差が圧力調整プレート１１１の近傍で生じると、流速が高められた排ガスが、圧力調整プレート１１１に沿って回り込むように流れる。そして、圧力調整プレート１１１における長円開口側の表面に排ガスが流れ込んでくると、この排ガスは、圧力調整プレート１１１や開口筒部１２３の内表面等に沿って多く流れる。その結果、排ガスは旋回流となって、上流側接続部材１０４の狭窄流路および連通管１０５の内部を流れる。その際、排ガスは、狭窄流路にてテーパー面に沿って流れるため、旋回流をさらに強めることができる。
【００８８】
このように、本実施形態の旋回流発生装置である圧力調整プレート１１１では、排ガス浄化装置１００において、連通管１０５を流れる排ガスに旋回流を発生させることができるので、還元剤供給口１１２を通じて供給された還元剤を、排ガスに対して拡散させた状態（より均質に近い状態）で混合することができる。その結果、還元触媒１０８で二酸化窒素を窒素に還元する際の反応性を高めることができ、排ガスの浄化性能を高めることができる。
【００８９】
以上説明したように、本実施形態の旋回流発生装置である圧力調整プレート１１１によれば、排ガス浄化装置１００において、上流側キャップ部材１０３の内側空間における開口１２３ａの手前に配置されることで、開口側の空間と反対側の空間との間に圧力差を生じさせるので、この圧力差を利用して開口付近における排気ガスに旋回流を生じさせることができる。すなわち、旋回流を発生させるための構成を簡素化することができる。
【００９０】
また、この圧力調整プレート１１１では、排ガス浄化装置１００において扁平な長円開口１２３ａの長手方向一端側から他端側へ向かう程に、長円開口１２３ａからの距離が遠くなるように配設されているので、長円開口１２３ａに向かう排気ガスの流れ方向を、圧力調整プレート１１１によって規制することができる。その結果、旋回流を生じさせ易くすることができる。
【００９１】
加えて、開口筒部１２３と連通管１０５との間に、狭窄流路を形成する上流側接続部材１０４を設けているので、狭窄流路を通ることによっても旋回流を発生させ易くすることができる。
【００９２】
さらに、還元剤供給口１１２は、連通管１０５の排気上流端を臨む位置に設けられているので、旋回流となった排気ガスに対して還元剤を供給することができる。
【００９３】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００９４】
圧力調整プレート１１１に関し、前述の実施形態では、屈曲部分１１１ａが長円開口１２３ａの近傍位置に配置されていたが、この形状に限定されるものではない。例えば、屈曲部分１１１ａを前述の実施形態よりも長円開口１２３ａから遠い側に配置してもよい。要するに、圧力調整プレート１１１に関しては、上流側キャップ部材１０３の内側空間に圧力差を生じさせる板状部材であればよい。
【００９５】
また、上流側キャップ部材１０３が有する開口筒部１２３に関し、前述の実施形態における開口筒部１２３は、扁平な長円開口１２３ａを区画するものであったが、矩形開口や六角形開口としてもよい。要するに扁平な開口であればよい。
【００９６】
さらに、還元剤に関し、前述の実施形態では、還元剤として尿素水溶液が用いられていたが、これに限定されることはない。例えば、アンモニア水溶液であってもよい。し、炭化水素を主成分とする軽油を用いてもよい。
【符号の説明】
【００９７】
１，１１…排気管
２，１０８…還元触媒
３，１３４…還元剤噴霧ノズル
５，１００…排ガス浄化装置
１０，２０，３０…旋回流発生装置
１０ａ，２０ａ，３０ａ…上流側端部
１０ｂ，１０ｃ，２０ｂ，２０ｃ，３０ｂ，３０ｃ…下流側端部
１０ｄ，１０ｅ…上辺
２１，２２，３１，３２…面
２１ａ，２２ａ，３１ｂ，３２ｂ…外径側辺
２１ｂ，２１ｂ，３１ａ，３２ａ…内径側辺
３１ｃ，３２ｃ…連通部
Ｋ…領域
１０１…酸化触媒
１０２…上流側ケーシング
１０２ａ…流入部
１０２ｂ…本体部分
１０２ｃ…排出部
１０３…上流側キャップ部材
１０３Ａ…第１部分
１０３Ｂ…第２部分
１０４…上流側接続部材
１０５…連通管
１０６…下流側接続部材
１０７…下流側キャップ部材
１０８…還元触媒
１０９…下流側ケーシング
１０９ａ…導入部
１０９ｂ…放出部
１１１…圧力調整プレート（旋回流発生装置）
１１１ａ…屈曲部分
１１１ｂ…短尺部分
１１１ｃ…長尺部分
１１１ｄ…中央部
１１１ｅ…下縁部分
１１１ｆ…上縁部分
１１２…還元剤供給口
１２１…筒状部
１２２…天井部（閉塞部）
１２３…開口筒部
１２３ａ…長円開口（端部開口）
１３１…上流側接続部材のキャップ接続部分
１３２…上流側接続部材の管接続部分
１３３…上流側接続部材の屈曲部分
１３４…供給ノズル
【図１】
2018115616.tif 000003
【図２】
2018115616.tif 000004
【図３】
2018115616.tif 000005
【図４】
2018115616.tif 000006
【図５】
2018115616.tif 000007
【図６】
2018115616.tif 000008
【図７】
2018115616.tif 000009
【図８】
2018115616.tif 000010
【図９】
2018115616.tif 000011
【図１０】
2018115616.tif 000012
【図１１】
2018115616.tif 000013
【図１２】
2018115616.tif 000014
【図１３】
2018115616.tif 000015
【図１４】
2018115616.tif 000016
【図１５】
2018115616.tif 000017